(57)【要約】【課題】  本発明は、一足で２つの異なったデザインを選択できるリバーシブルタイプの靴であり、靴の表面及び裏面を裏返すことが容易であり、歩いている時でも脱げ易すくないリバーシブルタイプの靴を提供する。【解決手段】  靴側面部及び底面部が裏表反転使用可能な靴であって、足入れ部分からつま先部分近傍に亘って開口部を設け、開口部には裏表両面から開口部を閉状態に固定する固定手段を設け、該開口部を開いて裏返して使用することが出来るリバーシブル靴。【選択図】図７
2009011682.tif 000002
【特許請求の範囲】
【請求項１】
靴側面部及び底面部が裏表反転使用可能な靴であって、足入れ部分からつま先部分近傍に亘って開口部を設け、開口部には裏表両面から開口部を閉状態に固定する固定手段を設け、該開口部を開いて裏返して裏面を外側にしても使用することが出来ることを特徴とするリバーシブル靴。
【請求項２】
前記閉状態に固定する固定手段は、前記開口部には着脱自在の適宜の切込部を有するアッパーベロー部を設けるとともに、該開口部の両側に複数のループ部又は鳩目を設け、該切込部とループ部に紐を掛け渡してなることを特徴とする請求項１に記載のリバーシブル靴。
【請求項３】
前記閉状態に固定する固定手段は、ファスナーであることを特徴とする請求項１に記載のリバーシブル靴。
【請求項４】
前記開口部は中間帯部を介在した二列であり、該二列の開口部を閉状態に固定する固定手段を設けたことを特徴とする請求項１に記載のリバーシブル靴。
【発明の詳細な説明】
【技術分野】
【０００１】
この発明は、裏表反転使用可能なリバーシブル靴に関するものである。
【背景技術】
【０００２】
従来より、装身具としての帽子では、例えば、特許文献１等で裏返して反転使用可能なリバーシブルタイプの帽子が知られており、１つの帽子で２つのデザインを表現でき、旅行先等でも気軽に服装に合わせて変化させることが出来る。
しかしながら、靴等の履き物においては、有る程度の硬さが必要であることから裏返すことが困難であることや、歩いている時に脱げ易すくなることから、リバーシブルタイプの靴の構造は知られていない。
なお、スポーツシューズ等で、例えば、特許文献２に示されているように、足入れ部分を大きく開く構造が知られているが、開口部はつま先の近傍までは延びてはおらず、リバーシブルでも裏返せる構造でもない。
【特許文献１】登録実用新案３０４７３３１号公報
【特許文献２】特開２００２−３００９０７号公報
【発明の開示】
【発明が解決しようとする課題】
【０００３】
本発明は、上述の問題点に鑑みてなされたもので、一足で２つの異なったデザインを表現できるリバーシブルタイプの靴であり、出張や旅行先等でも、訪問先や、服装に合わせて靴のデザインを選択することができ、そのために靴の表面及び裏面を外側に裏返すことが容易であり、歩いている時でも脱げ難くいリバーシブルタイプの靴を提供することである。
【課題を解決するための手段】
【０００４】
上記の課題を解決するために、請求項１の発明は、靴側面部及び底面部が裏表反転使用可能なリバーシブル靴であって、足入れ部分からつま先部分近傍に亘って開口部を設け、開口部には裏表両面から開口部を閉状態に固定する固定手段を設け、該開口部を開いて裏返して裏面を外側にしても使用することが出来ることを特徴とする。
請求項２の発明は、請求項１に記載のリバーシブル靴において、前記閉状態に固定する固定手段は、前記開口部には着脱自在の適宜の切込部を有するアッパーベロー部を設けるとともに、該開口部の両側に複数のループ部又は鳩目を設け、該切込部とループ部に紐を掛け渡してなることを特徴とする。
請求項３の発明は、請求項１に記載のリバーシブル靴において、前記閉状態に固定する固定手段は、ファスナーであることを特徴とする。
請求項４の発明は、請求項１に記載のリバーシブル靴において、前記開口部は中間帯部を介在させた二列であり、該二列の開口部を閉状態に固定する固定手段を設けたことを特徴とする。
【発明の効果】
【０００５】
本発明の靴は、リバーシブルタイプの靴であるから、遊び心のある人、オシャレな靴好きな人や、構造・仕様・背景・モノ作り等が好きな人やスニーカーコレクターには十分にアピールすることができ、一足で２つのデザインを表現できるリバーシブルタイプであり、旅先や出張先でもひっくり返して履けるので、別途に替えの靴を持参しなくとも良く荷物が少なくなり、気軽に、会合や訪問先の雰囲気、歩く場所や服装に合わせて、即座に変化させることができる。
また、開口部がつま先近傍にまで施してあるので、表面及び裏面を簡単に裏返すことができ、裏返した後の開口部を閉状態に固定する固定手段が設けてあるので、履き物として歩いている時は脱げ易すくなく、着用後にひっくり返せば、こもった湿気や臭気を容易に発散し、清潔に保つことができる。
さらに、１足で２足分の靴の機能を有するから、下駄箱や収納場所の省スペース化に貢献し、玄関をすっきりさせることができる。
【発明を実施するための最良の形態】
【０００６】
ここで、本発明の好適なリバーシブルタイプの靴の実施例を図面に沿って説明する。
図１は、実施例１のアッパーベロ４を有するタイプのリバーシブル靴Ａの斜視図で、本底部１１は、平底部1２と若干厚めのヒール部１３とから構成され、後述するように、本底部１１はひっくり返すと中底にもなり得るものである。この本底部１１の縁部11c(図４参照)と、図１で中底１５(裏返した場合には本底11となる)となっている縁部15cとに靴のアッパー側面部２の下端部2cが挟まれて(図４参照)、縫い糸１４でアリアンズ縫い等で強固に縫いつけられている。
前記アッパー側面部２は、下部アッパー側面部２１と上部アッパー側面部２２から構成されるが、下部アッパー側面部２１は、靴の形を維持するためと、つま先を保護するために、有る程度の硬さと普通の女性でも裏返すことのできる柔らかさが必要である。また、上部アッパー側面部２２は、通常の足入れ部分２４からつま先部分２５の近傍に亘って開口部２３を設け、開口部２３の両側には対向する複数のループ５が縫いつけられている。このアッパー側面部２の裏側３もリバーシブルして裏返したときは、アッパー側面部になる。
【０００７】
本実施例１のリバーシブル靴Ａでは、アッパー側面部２は革仕立て、裏面３はデニム地仕立てとして、アッパー側面部２が外側の時は比較的フォーマル風に、裏地３のデニム地が外側の時は、カジュアル風になる。
前記開口部２３は、アッパーベロ部４で塞がれるとともに、靴紐６によって閉状態に固定される固定手段を有するものである。
この閉状態の構成を説明すると、図２に示されるアッパーベロ部４には、つま先部分２５に近い位置に一対の切込部41aと、足入れ部分２４に近い位置に一対の切込部41cと、これらの切込部の中間位置にも一対の切込部41bが設けられており、図１に示すように、先ず、靴紐６を一対の切込部41aに通し、これを最初の対向するループ５aに通し、これを従来の靴紐と同じように、対向するループ５bに順次通し、途中にある一対の切込部41bに通した後に、同様に対向するループ5に通し、足入れ部２４の近傍の一対の切込部41cに通した後、最後の一対のループ５に通した後、靴紐６の両端を結んで、開口部２３を閉状態に固定する。
【０００８】
なお、靴の内部の中底は、図３に示すようなカップインソール(中敷)７を挿入する。これは、本底１１が足底に触れて足を汚さないためと、履き心地を良くするために底部に敷き詰めるが、本底部１１のヒール部１２が高くなっているので、これに対応して、他の中敷きと同じ高さになるように踵部７２を薄くし、且つ、内層７１はクッション性が高いスポンジ等で構成されている。もっとも、カップインソール(中敷)７が厚ければ、踵部７２を薄くする必要はなく、全体が平坦なものでも十分である。
図１の（４）−(４)線での断面図を図４に示し、つま先部分の断面図を図５に示すが、リバーシブル靴Ａとするために  アッパー側面部２を底部１１と中底１５(裏返した場合には本底11となる)の間に挟み、アッパー側面部２の存在しない部分には中物１６を敷き詰めて、底部１１と中底１５のどちらが本底になっても良いように、底部１１の縁部11cと、中底１５の縁部15cとをアッパー側面部２の下端部2cを挟んで、縫い糸１４を用いアリアンズ縫い等で強固に縫いつける。
【０００９】
[リバーシブル靴の操作]
図１に示すような、フォーマル風の革地の靴において、革地のアッパー側面部２が外側になる第１の着用状態のリバーシブル靴を、靴の側面部２及び底面部を裏表反転させるには、先ず、図６に示すように、靴Ａの開口部２３のループ５及びアッパーベロ部４の切込部41a,b,cから靴紐６を取り除き、アッパーベロ部４とカップインソール(中敷)７も抜き取る。
次に、図７、図８に示すように、アッパー側面部２を図中で矢印Ｘの方向の下側に反転させると、底部１１が靴の内側の中底になり、図１で中底１５が本底部になり、図９に示すように、全部のアッパー側面部２を裏返すと、それまでの裏側の裏地３のデニム地が外側に現れる。
この状態で、着脱自在のアッパーベロ部４も裏側のデニム地を表側にし、切込部41a,41b,41cの間を引き出し、靴紐６を切込部41a,41b,41c及びループ５に通して、 図１と同じ状態にしてカップインソール(中敷)７を挿入すれば、カジュアル風のデニム地の靴Ａ'となる。
実際に制作したリバーシブル靴の写真を図１０に示すが、図１０の靴の右側が表面外側が革のファオーマル風の靴Ａであり、図１０の左側が表面デニム地のカジュアル風の靴Ａ’である。
【００１０】
このように、リバーシブル靴は革製のファオーマル風の靴Ａと、カジュアル風のデニム地の靴Ａ'とに見た目を変えることができ、遊び心のあるオシャレな靴好きな人や、構造・仕様・背景・モノ作り等が好きな人やスニーカーコレクターには十分にアピールすることができ、最も特徴的なことは、一足で２つのデザインを表現できるので、旅先や出張先でもひっくり返して履くことができ、別途に替えの靴を持参しなくとも良く荷物が少なくなり、気軽に、会合や訪問先の雰囲気、歩く場所や服装に合わせて、即座に変化させることができる。
また、開口部がつま先近傍にまで施してあるので、裏返すことが容易であり、裏返した後の開口部を閉状態に固定する固定手段が設けてあるので、履き物として歩いている時は脱げ易すくなく、靴紐タイプであるので、足の形に応じて充分にフィットし、着用後にひっくり返せば、こもった湿気や臭気を容易に発散し、清潔に保つことができ、１足で２足分の靴として着用できるから、下駄箱や収納場所の省スペース化に貢献し、玄関をすっきりすることができる。
【００１１】
次に、実施例１とは別の実施例２のリバーシブル靴Ｂを説明する。
図１１は実施例２のリバーシブル靴Ｂの側面図で、実施例１のリバーシブル靴Ａとの違いは、実施例１のループ５に変えて、開口部２３に沿って複数の鳩目孔５１を設けてた靴紐６に関して鳩目タイプである点で、その他の構成は同じである。
開口部２３の閉状態にする固定手段は、実施例１と同様に、アッパーベロ部４の切込部41a,41b,41cと鳩目５１に靴紐６を通して、最後の一対の鳩目５１に通した後、靴紐６の両端を結んで、開口部２３を閉状態に固定する。
このリバーシブル靴Ｂは、実施例１とはデザインが異なるのと、ループ５を縫い付ける必要がないので、制作はより容易である。
図１２は、実施例３のリバーシブル靴の側面図で、実施例２との変形例で、鳩目ハイカットタイプのリバーシブル靴Ｃであり、他の構成は実施例１や実施例２と同じである。このような足首に対して長い所謂長靴タイプの靴であっても、開口部２３がつま先部２５まで延びていれば、容易にリバーシブルな靴とすることができる。
【００１２】
更に、図１３に実施例４のリバーシブル靴Ｄを説明する。
実施例４のリバーシブル靴Ｄは、開口部２３の固定手段として、裏表の両側で操作可能なファスナー６１を使用した点であり、他の構成は、実施例１乃至３と同じである。
このようなファスナー６１を使用することで、開口部２３の足入部２４からつま先部２５までを、開口手段として、ファスナー６１の把持部611をスライドさせることで、一気に開口することができ、アッパー側面部２の裏側３にリバーシブルして裏返すことができ、裏面３を外側にした後も、ファスナー６１の把持部611をスライドさせることで、開口部２３を閉状態に固定することができる。
図１４及び図１５は、実施例５の変形例のリバーシブル靴Ｅで、開口部２３の両端231、232との間に中間帯部２６を設け、この間に中間帯部２６の両端261,262と前記開口部２３の両端部231、232をそれぞれ対向させ、開口手段及び固定手段として二列のファスナー６２，６３を構成したものである。この実施例５は、アッパー側面部２の面積を小さくしてアッパー側面部２の裏返作業を容易にし、裏返した後の開口部２３を閉状態に固定することを速やかに行うことができる。
【００１３】
以上のように、実施例２〜５も固定手段の構成以外は実施例と同じであり、作用・効果も実施例１と同じである。
なお、本発明の特徴を損なうものでなければ、上記の実施例に限定されるものでないことは勿論である。
【図面の簡単な説明】
【００１４】
【図１】本発明の実施例1のリバーシブル靴Ａの斜視図、
【図２】図１のアッパーベロ４の平面図、
【図３】図１のカップインソール(中敷)の側面図、
【図４】図１の(4)−(4)線での断面図、
【図５】図１のつま先部分の断面図、
【図６】図１でアッパーベロと靴紐を取り除いた斜視図、
【図７】図６の状態から、裏返す工程を説明する(7)−(7)線での断面図、
【図８】図７の状態の斜視図、
【図９】図１のリバーシブル靴を完全に裏返した状態のリバーシブル靴Ａ'の底部からの斜視図、
【図１０】実施例１の実際に制作したリバーシブル靴の写真で、写真右側が表面外側が革のファオーマル風の靴Ａであり、写真左側が表面デニム地のカジュアル風の靴Ａ’の写真の図、
【図１１】本発明の実施例２の鳩目タイプのリバーシブル靴Ｂの側面図、
【図１２】本発明の実施例３の鳩目タイプのリバーシブル靴Ｃの側面図、
【図１３】本発明の実施例４のファスナータイプのリバーシブル靴Ｄの平面図、
【図１４】本発明の実施例５の二列のファスナータイプのリバーシブル靴Ｅの側面図、
【図１５】図１４の中間帯部２６を分離した状態の斜視図である。
【符号の説明】
【００１５】
Ａ,Ｂ,Ｃ,Ｄ,Ｅ…リバーシブル靴
１１…本底部、11c,15c…縁部、１２…平底部、１３…ヒール部、
１４…縫い糸、１５…中底、１６…中物、
２…アッパー側面部、２１…下部アッパー側面部、２c…下端部
２２…上部アッパー側面部、２３…開口部、231,232…開口部の端部、
２４…足入れ部分、２５…つま先部分、２６…中間帯部、
261,262…中間帯部の両端、
３…裏側、４…アッパーベロ、41a,41b,41c…切込部、
５,５a,５bループ、５１…鳩目、
６…靴紐、61,62,63…ファスナー、611…把持部、
７…カップインソール(中敷)、７１…内層、７２…踵部、
【図１】
2009011682.tif 000003
【図２】
2009011682.tif 000004
【図３】
2009011682.tif 000005
【図４】
2009011682.tif 000006
【図５】
2009011682.tif 000007
【図６】
2009011682.tif 000008
【図７】
2009011682.tif 000009
【図８】
2009011682.tif 000010
【図９】
2009011682.tif 000011
【図１１】
2009011682.tif 000012
【図１２】
2009011682.tif 000013
【図１３】
2009011682.tif 000014
【図１４】
2009011682.tif 000015
【図１５】
2009011682.tif 000016
【図１０】
2009011682.tif 000017